(57)【要約】      （修正有）【課題】空気の供給が遮断もしくは不十分な環境下においてもインキの乾燥促進に優れた効果のある平版印刷用湿し水組成物の提供。【解決手段】過ホウ素酸塩または過炭酸塩を含有する酸化重合型平版印刷用インキの乾燥時間短縮を可能とする過酸化水素分解酵素を含有する平版印刷用湿し水組成物。【効果】過酸化水素分解酵素は過ホウ素酸塩または過炭酸塩から発生する過酸化水素を速やかに水と酸素に分解することが可能である。ここで発生した酸素が、従来使用されている反応促進触媒である、オクチル酸、ナフテン酸等のコバルト塩、マンガン塩、亜鉛塩等の触媒作用を受け、インキ中に含まれる乾性油や乾性油を加工した重合乾性油の二重結合と反応し、強固な酸化皮膜を形成する。【選択図】なし【特許請求の範囲】
【請求項１】
過酸化水素分解酵素を含有する平版印刷用湿し水組成物。
【請求項２】
過ホウ素酸塩または過炭酸塩を含有する酸化重合型平版印刷用インキと請求項１記載の平版印刷用湿し水組成物との併用で印刷された印刷物。
【発明の詳細な説明】
【技術分野】
【０００１】
本発明は、過ホウ素酸塩または過炭酸塩を含有する酸化重合型平版印刷用インキの乾燥性を向上させる効果を有する平版印刷用湿し水組成物を提供するものである。
【背景技術】
【０００２】
平版印刷は、画線部に対する部分を感脂性面とし、非画線部に対する部分を親水性面とした刷版を用いて印刷を行う印刷方式である。即ちインキを感脂性面に付着させ、湿し水を親水性面に付着させ、インキと湿し水との相互反発作用を利用して印刷する。
【０００３】
従来、湿し水の効果を向上させるために、湿し水には、不感脂化剤として版面の親水性を保持する為に親水性高分子であるアラビアガムやカルボキシメチルセルロース等のセルロース誘導体が、版表面の酸化物を除去する製面剤として燐酸、ポリ燐酸、酒石酸、クエン酸等の無機酸、有機酸及びその塩類が、汚れにつながる版の腐食を防止するものとして硝酸塩等が好ましく使用されている。
【０００４】
また酸化重合型平版印刷用インキは、一般に顔料等の色材、ビヒクル、溶剤、各種助剤より構成される。その中のインキビヒクル成分として通常分子中に二重結合を持つ乾性油や、乾性油を加工した重合乾性油が用いられており、それらの二重結合が空気中の酸素を利用しラジカル重合する事により、強固な酸化皮膜が形成される。これらの酸化反応の反応促進触媒として、従来は、オクチル酸、ナフテン酸等のコバルト塩、マンガン塩、亜鉛塩等を使用してきた。
【０００５】
一方、上記の乾燥促進剤は、酸素の供給が充分でないと、乾性油の乾燥固化が十分に促進されず、例えば印刷直後、印刷機デリバリー部で印刷物が棒積みされたり、ビニール等で梱包されたりした際に、空気の供給が遮断もしくは不十分な状態になるため、乾燥不良等のトラブルを引き起こす可能性がある。特に合成紙等の難吸収性原反使用時には問題になる恐れが高い。
【０００６】
さらに上記の乾燥促進剤は、湿し水によるインキの乳化により、その働きが著しく劣化する。
【０００７】
上記問題を解決する酸化重合型平版印刷用インキとして、水と反応して酸素を発生させる過ホウ酸塩の添加や（特開平０５−２３９３９３号公報）、過炭酸塩の添加（特開２００５−２２９２号公報）がなされたものがある。これらの添加により、印刷機上でインキ乳化した際に過酸化水素が発生し、その分解により酸素が発生することで、乾燥促進に対し一定の効果があるものの、過酸化水素の分解速度が十分に早くないために、乾燥促進の効果は未だ十分ではなかった。
【特許文献１】特開平０５−２３９３９３号公報
【特許文献２】特開２００５−２２９２号公報
【発明の開示】
【発明が解決しようとする課題】
【０００８】
本発明の目的は、上記従来技術の問題を解決し、乾燥促進に優れた効果のある平版印刷用湿し水組成物を提供するものである。
【課題を解決するための手段】
【０００９】
即ち、本発明は、過ホウ素酸塩または過炭酸塩を含有する酸化重合型平版印刷用インキの乾燥時間短縮を可能とする過酸化水素分解酵素を含有する平版印刷用湿し水組成物に関する。
【００１０】
また、本発明は、上記平版印刷用湿し水組成物と、過ホウ素酸塩または過炭酸塩を含有する酸化重合型平版印刷用インキとの併用で印刷された印刷物に関する。
【発明の効果】
【００１１】
本発明で使用する過酸化水素分解酵素は過ホウ素酸塩または過炭酸塩から発生する過酸化水素を速やかに水と酸素に分解することが可能である。ここで発生した酸素が、従来使用されている反応促進触媒である、オクチル酸、ナフテン酸等のコバルト塩、マンガン塩、亜鉛塩等の触媒作用を受け、インキ中に含まれる乾性油や乾性油を加工した重合乾性油の二重結合と反応し、強固な酸化皮膜を形成する。
【００１２】
即ち、本発明により、インキの乳化による影響を受け、もしくは酸素の供給が不十分な環境においても、インキの乾燥性を十分に維持しさらには促進する平版印刷用湿し水組成物の提供が可能となる。
【発明を実施するための最良の形態】
【００１３】
以下、本発明について詳細に説明する。なお、本発明の平版印刷用湿し水組成物は、水で２０倍〜１００倍に希釈して使用するものである。
【００１４】
本発明に使用される過酸化水素分解酵素は特に種類を選ばないが、好ましくはｐＨ範囲が３〜１０及び温度範囲が１〜７０℃で活性を有する過酸化水素分解酵素（カタラーゼ）が良い。
【００１５】
上記過酸化水素分解酵素は、湿し水製造工程における任意の工程での添加、並びに湿し水製造後に後添加する方法のいずれでも行うことができる。その添加量は０．０１〜５重量％、より好ましくは０．１〜２重量％の範囲である。０．０１重量％以下だと過酸化水素分解の触媒効果が十分ではなく、また５重量％を超えると耐汚れ性が劣るため好ましくない。
【００１６】
本発明の平版用湿し水組成物には、硝酸塩が硝酸よりも好ましく、硝酸塩としては硝酸カリウム、硝酸ナトリウム、硝酸マグネシウム、硝酸アンモニウム等があげられる。
【００１７】
本発明の平版用湿し水組成物には、溶剤として、水溶性物質と油性物質の相互の溶解性が高い３−メトキシ−３−メチル−１−ブタノールと印刷における給水ローラーの絡み汚れ防止効果が高いエチレングリコールモノ−t−ブチルエーテルの組合せ、もしくは３−メトキシ−３−メチル−１−ブタノールと乳化抑制効果の高いプロピルプロピレングリコールの組合せが最も好ましい。
【００１８】
本発明の平版用湿し水組成物には、表面張力を低下させる能力が高く、特に消泡効果に優れるＨＬＢが１〜３であるアセチレンジオールを１種類以上と、水溶性が高くて表面張力を低下させる能力に優れるＨＬＢが７〜１３であるアセチレンジオールのエチレンオキサイド付加物を１種類以上含有することが好ましい。アセチレンジオールのエチレンオキサイド付加物はプロピレンオキサイド付加物であっても良い。
【００１９】
本発明の平版用湿し水組成物には、キレート効果を有するクエン酸、酒石酸、リンゴ酸等の有機酸を含有することが好ましい。湿し水組成物を希釈する原水は、水道水をはじめ、工業用水、地下水とさまざまであり、硬度が高い原水はカルシウムイオンの含有量が多いため、カルシウムイオンをキレート作用においても隠蔽しておく必要があり、本キレート剤の添加は有効である。
【００２０】
本発明の平版用湿し水組成物には、さらに版面保護の為に不感脂剤として、アラビアゴム、デキストリン、アルギン酸ナトリウム、カルボキシメチルセルロース、カルボキシエチルセルロース、ヒドロキシメチルセルロース、ポリビニルピロリドン、ポリビニルアルコール、ポリアクリル酸、ポリアクリルアミド等の水溶性高分子化合物を添加してもよい。
【００２１】
本発明の平版用湿し水組成物には、ｐＨ調整剤として先述したクエン酸、酒石酸、リンゴ酸等の有機酸とその塩、酢酸等の無機酸とその塩を組み合わせて添加できる。
【００２２】
本発明の平版用湿し水組成物には、防腐剤として、サリチル酸、ホルマリン、フェノール系化合物、ベンズイミダゾール及びベンゾチアゾール系化合物、有機窒素ハロゲン系化合物、有機シアノハロゲン系化合物、メチレンビスチオシアネート、３−イソチアゾロン、ジチオール、ブロモ酢酸エステル類等を使用することもできる。
【００２３】
本発明の平版用湿し水組成物には、防錆剤として、ベンゾトリアゾール、チオサリチル酸、ベンゾイミダゾール及びその誘導体が添加できる。
【００２４】
本発明の平版用湿し水組成物には、着色剤として、水溶性の食添用染料が添加できる。
【実施例】
【００２５】
以下に具体例を示して本発明の説明を行うが、本発明は以下の実施例により何ら制限されるものではない。尚、例中「部」とは重量部、「％」とは重量％を示す。
【００２６】
（湿し水製造例）
表１に記載する処方にて、定法に従い、実施例湿し水１〜２、比較例湿し水３〜４を得た。
【００２７】
【表１】
2006297601.tif 000002
【００２８】
（評価）
実施例湿し水１〜２、比較例湿し水３〜４をそれぞれ５０倍に希釈したものを使用して、枚葉オフセット印刷機を用いて印刷物を得た。なおインキは過炭酸ナトリウムを０．５％含有する枚葉平版印刷インキを使用した。
評価方法：印刷機デリバリー部で印刷物が棒積みされ空気が遮断された状態を再現するために、印刷直後の印刷物を酸素が遮断された環境下に移し、朝陽会型乾燥試験機にて温度２５℃、相対湿度５０％の条件下で乾燥時間を測定した。その結果を表２に示す。
【００２９】
【表２】
2006297601.tif 000003
【００３０】
本発明に関わる実施例湿し水１〜２は比較例湿し水３〜４に比べ、乾燥性促進の寄与が優れていることが判る。